(57)【要約】【課題】装着時及び未装着時何れの場合においても、当該電子デバイス間の通信が途切れ難い電子デバイスの提供。【解決手段】本発明に係る電子デバイス（１）は、装着検出部（１３）と、通信部（１２）と、装着検出部（１３）による検出結果が、ユーザが電子デバイス（１）を装着していないことを示している場合、他の電子デバイス（２）に情報を送信するときの通信方式を第１の通信方式に切り替える切替部（１４）と、を備えている。【選択図】図１
2020141214.tif 000002
【特許請求の範囲】
【請求項１】
ユーザが着脱可能な電子デバイスであって、
当該電子デバイスをユーザが装着しているか否かを検出する装着検出部と、
外部の通信機器から受信した情報を、当該電子デバイスと組をなす１又は複数の他の電子デバイスに送信する通信部と、
前記装着検出部による検出結果が、前記ユーザが当該電子デバイスを装着していないことを示している場合、前記通信部が前記１又は複数の他の電子デバイスの少なくとも何れかに前記情報を送信するときの通信方式を第１の通信方式に切り替え、前記装着検出部による検出結果が、前記ユーザが当該電子デバイスを装着していることを示している場合、前記通信部が前記１又は複数の他の電子デバイスの少なくとも何れかに前記情報を送信するときの通信方式を前記第１の通信方式よりも無線の周波数が低い第２の通信方式に切り替える切替部と、
を備えていることを特徴とする電子デバイス。
【請求項２】
前記切替部は、前記通信部が前記１又は複数の他の電子デバイスの少なくとも何れかに前記第２の通信方式によって前記情報を送信している場合において、前記装着検出部による検出結果が、前記ユーザが当該電子デバイスを装着していない状態に変化したことを示している場合、前記通信部が前記１又は複数の他の電子デバイスの少なくとも何れかに前記情報を送信するときの通信方式を、継続して第２の通信方式とする、請求項１に記載の電子デバイス。
【請求項３】
前記切替部は、前記通信部が前記１又は複数の他の電子デバイスの少なくとも何れかに前記情報を送信するときの通信方式による通信品質が劣化した場合、前記通信部が前記１又は複数の他の電子デバイスの少なくとも何れかに前記情報を送信するときの通信方式を他方の通信方式に切り替える、請求項１に記載の電子デバイス。
【請求項４】
前記切替部は、前記通信部が前記１又は複数の他の電子デバイスの少なくとも何れかに前記情報を送信するときの通信方式による通信品質が劣化した場合、前記第１の通信方式と前記第２の通信方式との通信品質を比較し、前記通信部が前記１又は複数の他の電子デバイスの少なくとも何れかに前記情報を送信するときの通信方式を、より通信品質の高い方の通信方式に切り替える、請求項１に記載の電子デバイス。
【請求項５】
前記１又は複数の他の電子デバイスの少なくとも何れかは、前記他の電子デバイスをユーザが装着しているか否かを検出する装着検出部を備え、
前記切替部は、当該電子デバイスおよび前記他の電子デバイスの装着検出部の少なくとも何れかによる検出結果が、前記ユーザが当該電子デバイスまたは前記他の電子デバイスを装着していることを示している場合、前記通信部が前記１又は複数の他の電子デバイスの少なくとも何れかに前記情報を送信するときの通信方式を前記第２の通信方式に切り替える、請求項１に記載の電子デバイス。
【請求項６】
ユーザが着脱可能な電子デバイスであって、
当該電子デバイスをユーザが装着しているか否かを検出する装着検出部と、
前記装着検出部による検出結果が、前記ユーザが当該電子デバイスを装着していないことを示している場合、当該電子デバイスに情報を送信するときの通信方式を第１の通信方式に切り替えることを要求する切替要求情報を、当該電子デバイスと組をなす他の電子デバイスに送信し、前記装着検出部による検出結果が、前記ユーザが当該電子デバイスを装着していることを示している場合、当該電子デバイスに情報を送信するときの通信方式を第２の通信方式に切り替えることを要求する切替要求情報を、前記他の電子デバイスに送信する通信部と、
を備えていることを特徴とする電子デバイス。
【請求項７】
１又は複数の第２電子デバイスと組をなし、前記１又は複数の第２電子デバイスに情報を送信する第１電子デバイスであって、ユーザが着脱可能である前記１又は複数の第１電子デバイスに対して情報を送信する通信機器であって、
通信部と、
前記１又は複数の第１電子デバイスの少なくとも何れかから、前記第１電子デバイスを前記ユーザが装着しているか否かを示す装着情報を、前記通信部を介して取得する通信制御部と、を備え、
前記通信制御部は、
取得した前記装着情報が、前記ユーザが前記第１電子デバイスを装着していないことを示している場合、前記第１電子デバイスが前記１又は複数の第２電子デバイスに前記情報を送信するときの通信方式を第１の通信方式に切り替えることを要求する切替要求情報を、前記通信部を介して前記第１電子デバイスに送信し、
取得した前記装着情報が、前記ユーザが前記第１電子デバイスを装着していることを示している場合、前記第１電子デバイスが前記１又は複数の第２電子デバイスに前記情報を送信するときの通信方式を前記第１の通信方式よりも無線の周波数が低い第２の通信方式に切り替えることを要求する切替要求情報を、前記通信部を介して前記第１電子デバイスに送信することを特徴とする通信機器。
【請求項８】
ユーザが着脱可能な電子デバイスの制御方法であって、
当該電子デバイスをユーザが装着しているか否かを検出する検出ステップと、
外部の通信機器から受信した情報を、当該電子デバイスと組をなす１又は複数の他の電子デバイスに送信する送信ステップと、
前記検出ステップで得られた検出結果が、前記ユーザが当該電子デバイスを装着していないことを示している場合、前記１又は複数の他の電子デバイスの少なくとも何れかに前記情報を送信するときの通信方式を第１の通信方式に切り替え、前記検出ステップで得られた検出結果が、前記ユーザが当該電子デバイスを装着していることを示している場合、前記１又は複数の他の電子デバイスの少なくとも何れかに前記情報を送信するときの通信方式を前記第１の通信方式よりも無線の周波数が低い第２の通信方式に切り替える切替ステップと、
を含むことを特徴とする電子デバイスの制御方法。
【請求項９】
請求項１〜５の何れか１項に記載の電子デバイスとしてコンピュータを機能させるための制御プログラムであって、前記装着検出部、前記通信部および前記切替部としてコンピュータを機能させるための制御プログラム。
【請求項１０】
請求項９に記載の制御プログラムを記録したコンピュータ読み取り可能な記録媒体。
【発明の詳細な説明】
【技術分野】
【０００１】
本発明は、電子デバイス、通信機器、電子デバイスの制御方法、制御プログラム、及び記録媒体に関する。
【背景技術】
【０００２】
左右のイヤホン間にケーブルが存在しないワイヤレスイヤホン等の電子デバイスが従来技術として知られている。
【０００３】
例えば、非特許文献１には、スマートフォン等の通信機器とBluetooth（登録商標）で通信して一方のイヤホンが音声信号を受信し、ＮＦＭＩ（Near Field Magnetic Induction、近距離磁気誘導）によって当該一方のイヤホンから他方のイヤホンに当該音声信号を送信する、ワイヤレスイヤホンが開示されている。
【先行技術文献】
【非特許文献】
【０００４】
【非特許文献１】海上忍、「ＮＦＭＩ」とは？−いまさら聞けないスマートフォン用語、online、検索日２０１９年１月１７日、ＵＲＬ＜https://news.mynavi.jp/article/20180516-smartphone_word/＞
【発明の概要】
【発明が解決しようとする課題】
【０００５】
しかしながら、非特許文献１に開示されているワイヤレスイヤホンにおいて、ＮＦＭＩは通信距離が短いため、左右のイヤホンを離して使用する場合には、左右のイヤホン間で通信ができなくなる可能性がある。例えば、通信機器と通信しないイヤホン（スレーブ側イヤホン）を先に装着すると、イヤホン間の距離が離れてしまうため、通信機器と通信するイヤホン（マスター側イヤホン）を装着するまでスレーブ側イヤホンから音が出ない可能性がある。また、左右のイヤホンを装着しているときに、マスター側イヤホンを外すと、イヤホン間の距離が離れてしまうため、スレーブ側イヤホンから音が出ない可能性がある。
【０００６】
よって、本発明の一態様は、装着時及び未装着時何れの場合においても、当該電子デバイス間の通信が途切れ難い電子デバイスを提供することを目的とする。
【課題を解決するための手段】
【０００７】
上記の課題を解決するために、本発明の一態様に係る電子デバイスは、ユーザが着脱可能な電子デバイスであって、
当該電子デバイスをユーザが装着しているか否かを検出する装着検出部と、
外部の通信機器から受信した情報を、当該電子デバイスと組をなす１又は複数の他の電子デバイスに送信する通信部と、
前記装着検出部による検出結果が、前記ユーザが当該電子デバイスを装着していないことを示している場合、前記通信部が前記１又は複数の他の電子デバイスの少なくとも何れかに前記情報を送信するときの通信方式を第１の通信方式に切り替え、前記装着検出部による検出結果が、前記ユーザが当該電子デバイスを装着していることを示している場合、前記通信部が前記１又は複数の他の電子デバイスの少なくとも何れかに前記情報を送信するときの通信方式を前記第１の通信方式よりも無線の周波数が低い第２の通信方式に切り替える切替部と、を備えていることを特徴とする。
【発明の効果】
【０００８】
本発明の一態様によれば、装着時及び未装着時何れの場合においても、当該電子デバイス間の通信が途切れ難い電子デバイスを提供することができる。
【図面の簡単な説明】
【０００９】
【図１】実施形態１に係る電子デバイス（第１電子デバイス）、当該電子デバイスと組みをなす他の電子デバイス（第２電子デバイス）、及び通信機器の要部構成を示すブロック図である。
【図２】実施形態１における、第１電子デバイスと第２電子デバイスとの通信方式の切り替えの流れを示すフローチャートである。
【図３】実施形態１における、複数の第１電子デバイス、第２電子デバイス、および通信機器の要部構成を示すブロック図の一例である。
【図４】実施形態１における、複数の第１電子デバイス、第２電子デバイス、および通信機器の要部構成を示すブロック図の一例である。
【図５】実施形態１の変形例１における、第１電子デバイスと第２電子デバイスとの通信方式の切り替えの流れを示すフローチャートの一例である。
【図６】実施形態１の変形例２における、第１電子デバイスと第２電子デバイスとの通信方式の切り替えの流れを示すフローチャートの一例である。
【図７】実施形態１の変形例３における、第１電子デバイスと第２電子デバイスとの通信方式の切り替えの流れを示すフローチャートの一例である。
【図８】実施形態２に係る電子デバイス（第１電子デバイス）、当該電子デバイスと組みをなす他の電子デバイス（第２電子デバイス）、及び通信機器の要部構成を示すブロック図の一例である。
【図９】実施形態２における、第１電子デバイスと第２電子デバイスとの通信方式の切り替えの流れを示すフローチャートの一例である。
【図１０】実施形態３に係る電子デバイス（第１電子デバイス）、当該電子デバイスと組みをなす他の電子デバイス（第２電子デバイス）、及び通信機器の要部構成を示すブロック図の一例である。
【図１１】実施形態３における、第１電子デバイスと第２電子デバイスとの通信方式の切り替えの流れを示すフローチャートの一例である。
【図１２】実施形態４に係る電子デバイス（第１電子デバイス）、当該電子デバイスと組みをなす他の電子デバイス（第２電子デバイス）、及び通信機器の要部構成を示すブロック図の一例である。
【発明を実施するための形態】
【００１０】
〔実施形態１〕
図１〜７に基づいて、本発明の実施形態１に係る電子デバイス（以下、「第１電子デバイス」とする）、当該電子デバイスと組をなす他の電子デバイス（以下、「第２電子デバイス」とする）、及び通信機器について説明する。図１、３及び４は、第１電子デバイス１、第２電子デバイス２及び通信機器３の要部構成を示すブロック図である。図２、５〜７は、第１電子デバイス１及び第２電子デバイス２との通信方式の切り替えの流れを示すフローチャートである。
【００１１】
（第１電子デバイス１）
図１を参照して、第１電子デバイス１について説明する。第１電子デバイス１は、ユーザが着脱可能な電子デバイスである。第１電子デバイス１は、１つであっても複数であってもよい。第１電子デバイス１は、後述する１又は複数の第２電子デバイス２と組をなす。第１電子デバイス１の例としては、組をなして使用される着脱可能な電子デバイスが挙げられる。具体的には、ワイヤレスイヤホン等のイヤホン；イヤリング及びピアス等のアクセサリに装着する電子デバイス；靴下、靴および膝又は肘用サポーター等に装着する電子デバイス；等である。
【００１２】
図１に示すように、第１電子デバイス１は、制御部１１と、通信部１２と、装着検出部１３と、を備える。第１電子デバイス１は、第２電子デバイス２等を従属させるマスターとして機能する。制御部１１は、第１電子デバイス１を統括的に制御する制御装置である。制御部１１は、例えば制御部１１内に記録されているプログラムを実行することで、切替部１４としても機能する。以下、通信部１２、装着検出部１３、及び切替部１４について説明する。
【００１３】
＜通信部１２＞
通信部１２は、外部の通信機器３からの情報を受信する。そして、１又は複数の第２電子デバイス２に、当該情報を送信する。また、例えば第１電子デバイス１および第２電子デバイス２がイヤホンである場合、当該情報は音楽や音声等を示す情報であってもよい。
【００１４】
＜装着検出部１３＞
装着検出部１３は、第１電子デバイス１をユーザが装着しているか否かを検出する。装着検出部１３は、例えば、センサであってもよく、スイッチであってもよい。センサの例として、感圧センサ等の接触センサ、温度センサ、近接センサ等が挙げられる。装着検出部１３がスイッチである場合は、例えば、第１電子デバイス１を装着しているときに、ユーザがスイッチをオンにすることによって、装着していることを検出することができる。
【００１５】
＜切替部１４＞
切替部１４は、装着検出部１３による検出結果が、ユーザが第１電子デバイス１を装着していないことを示している場合、通信部１２が複数の第２電子デバイス２の少なくとも何れかに情報を送信するときの通信方式を第１の通信方式に切り替える。また、切替部１４は、装着検出部１３による検出結果が、ユーザが第１電子デバイス１を装着していることを示している場合、通信部１２が複数の他の第２電子デバイス２の少なくとも何れかに情報を送信するときの通信方式を第１の通信方式よりも無線の周波数が低い第２の通信方式に切り替える。なお、本明細書において、通信方式の切り替えとは、切替前と切替後との通信方式が必ずしも互いに異なることを要するわけではなく、同じ通信方式を維持することも含まれる。
【００１６】
第１の通信方式は、第２の通信方式よりも無線の周波数が高く、第２の通信方式よりも電力が大きいことが好ましい。第１の通信方式の例として、Bluetooth（登録商標）等が挙げられる。第２の通信方式は、第１の通信方式よりも無線の周波数が低く、第１の通信方式よりも電力が小さいことが好ましい。第２の通信方式の例として、ＮＦＭＩ（Near Field Magnetic Induction、近距離磁気誘導）等が挙げられる。
【００１７】
第１電子デバイス１が未装着のときに、第１電子デバイス１及び第２電子デバイス２間の通信方式を第２の通信方式よりも電力が大きい第１の通信方式に切り替えることによって、第１電子デバイス１及び第２電子デバイス２間の距離が離れていても通信が途切れ難い。また、第１電子デバイス１を装着しているときに、第１電子デバイス１及び第２電子デバイス２間の通信方式を第１の通信方式よりも周波数が低い第２の通信方式に切り替えることによって、人体による通信品質の劣化が小さくかつ通信が途切れ難い。したがって、第１電子デバイス１の装着時及び未装着時何れの場合においても、第１電子デバイス１及び第２電子デバイス２間の通信が途切れ難い。
【００１８】
（第２電子デバイス２）
図１を参照して、第２電子デバイス２について説明する。第２電子デバイス２は、第１電子デバイス１と組をなす。第２電子デバイス２は、１つであっても複数であってもよい。第２電子デバイス２は、第１電子デバイス１に従属するスレーブとして機能する。すなわち、第２電子デバイス２は、第１電子デバイス１から送信された情報等のデータを取得する。
【００１９】
図１に示すように、第２電子デバイス２は、制御部２１と、通信部２２と、を備える。制御部２１は、第２電子デバイス２を統括的に制御する制御装置である。通信部２２は、第１電子デバイス１等との通信処理を行う。
【００２０】
（通信機器３）
図１を参照して、通信機器３について説明する。通信機器３は、第１電子デバイス１の通信部１２に情報を送信する。通信機器３は、第２電子デバイス２にも情報を送信してもよい。通信機器３と第１電子デバイス１間の通信の通信方式は、上記第１の通信方式であっても第２の通信方式であってもよいし、その他の通信方式であってもよい。
【００２１】
（第１電子デバイス１が複数存在する場合の態様）
図３及び４を参照して、第１電子デバイス１が複数存在する場合の態様について説明する。図３は、複数の第１電子デバイス１及び４それぞれが通信機器３から情報を受信する構成を示している。そして、第１電子デバイス１及び４それぞれが、切替後の通信方式で、第２電子デバイス２及び５の通信部２２及び５２に当該情報を送信する。この構成により、第１電子デバイス１及び第１電子デバイス４それぞれの装着状況に応じて、第１電子デバイス１および第１電子デバイス１と組をなす第２電子デバイス２間の通信の通信方式、ならびに、第１電子デバイス４および第１電子デバイス４と組をなす第２電子デバイス５間の通信の通信方式を切り替えることができる。
【００２２】
図４は、複数の第１電子デバイス１及び４のうち、第１電子デバイス１が通信機器３から情報を受信し、第１電子デバイス４の通信部４２に当該情報を送信する構成を示している。そして、第１電子デバイス４の通信部４２から第２電子デバイス２の通信部２２に切替後の通信方式で当該情報を送信する。この構成により、第２電子デバイス２及び通信機器３の間の距離が離れても、複数の第１電子デバイス１及び４の存在により中継して当該情報を届けることができる。
【００２３】
（通信方式の切り替えの処理）
次に、本実施形態に係る第１電子デバイス１及び第２電子デバイス２との通信方式の切り替えの処理手順について説明する。図２は、第１電子デバイス１と第２電子デバイス２との通信方式の切り替えの流れを示すフローチャートである。以下、各ステップ（Ｓ）に従い、順に説明する。
【００２４】
第１電子デバイス１では、まず、通信機器３から受信した情報を、第２電子デバイス２へ送信する（Ｓ１０１）。Ｓ１０１において、第１電子デバイス１及び第２電子デバイス２間の通信方式は、第１の通信方式であっても、第２の通信方式であってもよい。例えば、前回使用した通信方式と同じ通信方式を用いてもよいし、異なる通信方式を用いてもよい。そして、第２電子デバイス２は当該情報を受信する（Ｓ１１１）。
【００２５】
次に、装着検出部１３において、第１電子デバイス１がユーザに装着されているかを判定する（Ｓ１０２）。Ｓ１０２の判定にて、第１電子デバイス１がユーザに装着されている場合は、切替部１４が第１電子デバイス１から第２電子デバイス２へ情報を送信するときの通信方式を第２の通信方式に切り替える（Ｓ１０４）。Ｓ１０２の判定にて、第１電子デバイス１がユーザに装着されていない場合は、切替部１４が当該通信方式を第１の通信方式に切り替える（Ｓ１０３）。
【００２６】
最後に、切替後の通信方式で、第１電子デバイス１は、通信機器３から受信した情報を、第２電子デバイス２へ送信する（Ｓ１０５）。そして、第２電子デバイス２は当該情報を受信する（Ｓ１１２）。
【００２７】
［変形例１］
上記では、切替部１４は、装着検出部１３による検出結果に応じて、第１電子デバイス１及び第２電子デバイス２間の通信方式を切り替える構成について説明したが、本実施形態は当該構成に限定されない。
【００２８】
例えば、図５のフローチャートに示すように、切替部１４は、通信部１２が複数の第２電子デバイス２の少なくとも何れかに第２の通信方式によって情報を送信している場合において、装着検出部１３による検出結果が、ユーザが第１電子デバイス１を装着していない状態に変化したことを示している場合、通信部１２が複数の第２電子デバイス２の少なくとも何れかに情報を送信するときの通信方式を、継続して第２の通信方式としてもよい。この構成により、第１電子デバイス１が未装着時に通信方式を選択することができ、状況に適した通信方式を選択することができる。以下、図５の各ステップ（Ｓ）に従い、順に説明する。
【００２９】
第１電子デバイス１では、まず、通信機器３から受信した情報を、第２の通信方式で第２電子デバイス２へ送信する（Ｓ２０１）。そして、第２電子デバイス２は当該情報を受信する（Ｓ２１１）。
【００３０】
次に、装着検出部１３において、第１電子デバイス１がユーザに装着されているかを判定する（Ｓ２０２）。Ｓ２０２の判定にて、第１電子デバイス１がユーザに装着されている場合は、第２の通信方式による通信を継続し、エンドに進む。Ｓ２０２の判定にて、第１電子デバイス１がユーザに装着されていない場合は、切替部１４が第１電子デバイス１から第２電子デバイス２へ情報を送信するときの通信方式を継続して第２の通信方式とする（Ｓ２０３）。
【００３１】
最後に、第２の通信方式で、第１電子デバイス１は、通信機器３から受信した情報を、第２電子デバイス２へ送信する（Ｓ２０４）。そして、第２電子デバイス２は当該情報を受信する（Ｓ２１２）。
【００３２】
［変形例２］
また、図６のフローチャートに示すように、切替部１４は、通信部１２が複数の第２電子デバイス２の少なくとも何れかに情報を送信するときの通信方式による通信品質が劣化した場合、通信部１２が複数の第２電子デバイス２の少なくとも何れかに情報を送信するときの通信方式を他方の通信方式に切り替えてもよい。この構成により、第１電子デバイス１及び第２電子デバイス２間の通信方式による通信品質が劣化したときに、他方の通信方式に切り替えることによって、通信品質の改善を試みることができる。以下、図６の各ステップ（Ｓ）に従い、順に説明する。
【００３３】
第１電子デバイス１では、まず、通信機器３から受信した情報を、第２電子デバイス２へ送信する（Ｓ３０１）。Ｓ３０１において、第１電子デバイス１及び第２電子デバイス２間の通信方式は、第１の通信方式であっても、第２の通信方式であってもよい。例えば、前回使用した通信方式と同じ通信方式を用いてもよいし、異なる通信方式を用いてもよい。そして、第２電子デバイス２は当該情報を受信する（Ｓ３１１）。
【００３４】
次に、第１電子デバイス１から第２電子デバイス２に情報を送信するときの通信方式による通信品質が劣化しているかを判定する（Ｓ３０２）。当該判定は、第１電子デバイス１、第２電子デバイス２及び通信機器３の何れが実施してもよい。Ｓ３０２の判定にて、当該通信品質が劣化していない場合は、Ｓ３０１の通信方式による通信を継続し、エンドに進む。Ｓ２０２の判定にて、当該通信品質が劣化している場合は、切替部１４が当該通信方式を他方の通信方式に切り替える（Ｓ３０３）。
【００３５】
最後に、当該他方の通信方式で、第１電子デバイス１は、通信機器３から受信した情報を、第２電子デバイス２へ送信する（Ｓ３０４）。そして、第２電子デバイス２は当該情報を受信する（Ｓ３１２）。
【００３６】
［変形例３］
また、図７のフローチャートに示すように、切替部１４は、通信部１２が複数の第２電子デバイス２の少なくとも何れかに情報を送信するときの通信方式による通信品質が劣化した場合、第１の通信方式と第２の通信方式との通信品質を比較し、通信部１２が複数の第２電子デバイス２の少なくとも何れかに情報を送信するときの通信方式を、より通信品質の高い方の通信方式に切り替えてもよい。この構成により、第１電子デバイス１及び第２電子デバイス２間の通信方式による通信品質が劣化したときに、通信品質が高い通信方式に切り替えることによって、通信品質の劣化を最小限に抑えることができる。以下、図７の各ステップ（Ｓ）に従い、順に説明する。
【００３７】
第１電子デバイス１では、まず、通信機器３から受信した情報を、第２電子デバイス２へ送信する（Ｓ４０１）。Ｓ４０１において、第１電子デバイス１及び第２電子デバイス２間の通信方式は、第１の通信方式であっても、第２の通信方式であってもよい。例えば、前回使用した通信方式と同じ通信方式を用いてもよいし、異なる通信方式を用いてもよい。そして、第２電子デバイス２は当該情報を受信する（Ｓ４１１）。
【００３８】
次に、第１電子デバイス１から第２電子デバイス２に情報を送信するときの通信方式による通信品質が劣化しているかを判定する（Ｓ４０２）。当該判定は、第１電子デバイス１、第２電子デバイス２及び通信機器３の何れが実施してもよい。例えば、予め設定した通信品質のレベルよりも測定した通信品質のレベルが下回ったときに、通信品質が劣化していると判断する。Ｓ４０２の判定にて、当該通信品質が劣化していない場合は、Ｓ４０１の通信方式による通信を継続し、エンドに進む。Ｓ４０２の判定にて、当該通信品質が劣化している場合は、第１の通信方式と第２の通信方式との通信品質を比較する（Ｓ４０３）。当該比較は、第１電子デバイス１、第２電子デバイス２及び通信機器３の何れが実施してもよい。
【００３９】
そして、切替部１４は、Ｓ４０３の比較において、より通信品質が良いと判定された方の通信方式に切り替える（Ｓ４０４）。
【００４０】
最後に、切替後の通信方式で、第１電子デバイス１は、通信機器３から受信した情報を、第２電子デバイス２へ送信する（Ｓ４０５）。そして、第２電子デバイス２は当該情報を受信する（Ｓ４１２）。
【００４１】
〔実施形態２〕
次に、図８及び９に基づいて、本発明の実施形態２に係る、第１電子デバイス１、第２電子デバイス２、及び通信機器３について説明する。なお、説明の便宜上、上記実施形態にて説明した部材と同じ機能を有する部材については、同じ符号を付記し、その説明を繰り返さない。
【００４２】
図８は、実施形態２の、第１電子デバイス１、第２電子デバイス２、及び通信機器３の要部構成を示すブロック図である。
【００４３】
実施形態２において、第２電子デバイス２が、第２電子デバイス２をユーザが装着しているか否かを検出する装着検出部２３を備えている点が、実施形態１と相違する。複数の第２電子デバイス２において、少なくとも何れかの第２電子デバイス２が装着検出部２３を有していればよい。
【００４４】
また、実施形態２において、切替部１４は、第１電子デバイス１および第２電子デバイス２の装着検出部１３、２３の少なくとも何れかによる検出結果が、前記ユーザが第１電子デバイス１または第２電子デバイス２を装着していることを示している場合、通信部１２が複数の第２電子デバイス２の少なくとも何れかに前記情報を送信するときの通信方式を第２の通信方式に切り替える点が、実施形態１と相違する。この構成により、第１電子デバイス１及び第２電子デバイス２の何れかの電子デバイスを装着したときから、第１電子デバイス１及び第２電子デバイス２間を第２の通信方式で通信することができるので、より早く人体による通信品質の劣化の影響を抑制することができる。
【００４５】
次に、本実施形態に係る第１電子デバイス１及び第２電子デバイス２との通信方式の切り替えの処理手順について説明する。図９は、第１電子デバイス１と第２電子デバイス２との通信方式の切り替えの流れを示すフローチャートである。以下、各ステップ（Ｓ）に従い、順に説明する。
【００４６】
第１電子デバイス１では、まず、通信機器３から受信した情報を、第２電子デバイス２へ送信する（Ｓ５０１）。Ｓ５０１において、第１電子デバイス１及び第２電子デバイス２間の通信方式は、第１の通信方式であっても、第２の通信方式であってもよい。例えば、前回使用した通信方式と同じ通信方式を用いてもよいし、異なる通信方式を用いてもよい。そして、第２電子デバイス２は当該情報を受信する（Ｓ５１１）。
【００４７】
次に、装着検出部１３において、第１電子デバイス１がユーザに装着されているかを判定する（Ｓ５０２）。Ｓ５０２の判定にて、第１電子デバイス１がユーザに装着されていない場合は、Ｓ５０１の通信方式による通信を継続し、エンドに進む。Ｓ５０２の判定にて、第１電子デバイス１がユーザに装着されている場合は、切替部１４が第１電子デバイス１から第２電子デバイス２に情報を送信するときの通信方式を第２の通信方式に切り替える（Ｓ５０３）。
【００４８】
また、装着検出部２３において、第２電子デバイス２がユーザに装着されているかを判定する（Ｓ５１２）。Ｓ５１２の判定にて、第２電子デバイス２がユーザに装着されていない場合は、Ｓ５０１の通信方式による通信を継続し、エンドに進む。Ｓ５１２の判定にて、第２電子デバイス２がユーザに装着されている場合は、第２電子デバイス２は、第１電子デバイス１から第２電子デバイス２に情報を送信するときの通信方式を第２の通信方式に切り替えることを要求する切替要求情報を、第１電子デバイス１に送信する（Ｓ５１３）。そして、切替部１４は、第１電子デバイス１から第２電子デバイス２に情報を送信するときの通信方式を第２の通信方式に切り替える（Ｓ５０３）。
【００４９】
最後に、第２の通信方式で、第１電子デバイス１は、通信機器３から受信した情報を、第２電子デバイス２へ送信する（Ｓ５０４）。そして、第２電子デバイス２は当該情報を受信する（Ｓ５１４）。
【００５０】
〔実施形態３〕
次に、図１０及び１１に基づいて、本発明の実施形態３に係る、第１電子デバイス１、第２電子デバイス２、及び通信機器３について説明する。なお、説明の便宜上、上記実施形態にて説明した部材と同じ機能を有する部材については、同じ符号を付記し、その説明を繰り返さない。
【００５１】
図１０は、実施形態３の、第１電子デバイス１、第２電子デバイス２、及び通信機器３の要部構成を示すブロック図である。
【００５２】
実施形態３において、第１電子デバイス１が、第１電子デバイス１をユーザが装着しているか否かを検出する装着検出部を備えていない点が、実施形態２と相違する。この構成の場合、装着検出部２３による検出結果が、ユーザが第２電子デバイス２を装着していないことを示している場合、第２電子デバイス２に情報を送信するときの通信方式を第１の通信方式に切り替えることを要求する切替要求情報を、通信部２２は第１電子デバイス１に送信し、装着検出部２３による検出結果が、ユーザが第２電子デバイス２を装着していることを示している場合、第２電子デバイス２に情報を送信するときの通信方式を第２の通信方式に切り替えることを要求する切替要求情報を、通信部２２は第１電子デバイス１に送信する。
【００５３】
第２電子デバイス２が未装着のときに、第１電子デバイス１及び第２電子デバイス２間の通信方式を第２の通信方式よりも電力が大きい第１の通信方式に切り替えることによって、第１電子デバイス１及び第２電子デバイス２間の距離が離れていても通信が途切れ難い。また、第２電子デバイス２を装着しているときに、第１電子デバイス１及び第２電子デバイス２間の通信方式を第１の通信方式よりも周波数が低い第２の通信方式に切り替えることによって、人体による通信品質の劣化が小さくかつ通信が途切れ難い。したがって、第２電子デバイス２の装着時及び未装着時何れの場合においても、第１電子デバイス１及び第２電子デバイス２間の通信が途切れ難い。
【００５４】
次に、本実施形態に係る第１電子デバイス１及び第２電子デバイス２との通信方式の切り替えの処理手順について説明する。図１１は、第１電子デバイス１と第２電子デバイス２との通信方式の切り替えの流れを示すフローチャートである。以下、各ステップ（Ｓ）に従い、順に説明する。
【００５５】
第１電子デバイス１では、まず、通信機器３から受信した情報を、第２電子デバイス２へ送信する（Ｓ６１１）。Ｓ６１１において、第１電子デバイス１及び第２電子デバイス２間の通信方式は、第１の通信方式であっても、第２の通信方式であってもよい。例えば、前回使用した通信方式と同じ通信方式を用いてもよいし、異なる通信方式を用いてもよい。そして、第２電子デバイス２は当該情報を受信する（Ｓ６０１）。
【００５６】
次に、装着検出部２３において、第２電子デバイス２がユーザに装着されているかを判定する（Ｓ６０２）。Ｓ６０２の判定にて、第２電子デバイス２がユーザに装着されている場合は、第１電子デバイス１から第２電子デバイス２へ情報を送信するときの通信方式を第２の通信方式に切り替えるよう要求することを決定する（Ｓ６０４）。Ｓ６０２の判定にて、第２電子デバイス２がユーザに装着されていない場合は、当該通信方式を第１の通信方式に切り替えるよう要求することを決定する（Ｓ６０３）。
【００５７】
次に、第２電子デバイス２は、Ｓ６０３又はＳ６０４にて決定した切替要求情報を第１電子デバイス１に送信する（Ｓ６０５）。そして、第２電子デバイス２は切替要求情報を受信する（Ｓ６１２）。ただし、当該通信方式が変更されない場合、第２電子デバイス２は、切替要求情報を第１電子デバイス１に送信せずともよい。その場合、第１電子デバイスは、引き続き同じ通信方式による情報の送信を継続する。
【００５８】
次に、切替要求情報に従って、切替部１４は通信方式を切り替える（Ｓ６１３）。
【００５９】
最後に、切替後の通信方式で、第１電子デバイス１は、通信機器３から受信した情報を、第２電子デバイス２へ送信する（Ｓ６１４）。そして、第２電子デバイス２は当該情報を受信する（Ｓ６０６）。
【００６０】
〔実施形態４〕
次に、図１２に基づいて、本発明の実施形態４に係る、第１電子デバイス１、第２電子デバイス２、及び通信機器３について説明する。なお、説明の便宜上、上記実施形態にて説明した部材と同じ機能を有する部材については、同じ符号を付記し、その説明を繰り返さない。
【００６１】
図１２は、実施形態４の、第１電子デバイス１、第２電子デバイス２、及び通信機器３の要部構成を示すブロック図である。
【００６２】
実施形態４において、通信機器３から、通信方式を切り替えることを要求する切替要求情報を第１電子デバイスに送信する点が、実施形態１と相違する。実施形態４に係る通信機器は、通信制御部３１と、通信部３２と、を備える。通信制御部３１は、１又は複数の第１電子デバイス１の少なくとも何れかから、第１電子デバイス１を前記ユーザが装着しているか否かを示す装着情報を、通信部３２を介して取得する。また、通信制御部３１は、取得した装着情報が、ユーザが第１電子デバイス１を装着していないことを示している場合、第１電子デバイス１が１又は複数の第２電子デバイス２に情報を送信するときの通信方式を第１の通信方式に切り替えることを要求する切替要求情報を、通信部３２を介して第１電子デバイスに送信する。さらに、通信制御部３１は、取得した装着情報が、ユーザが第１電子デバイス１を装着していることを示している場合、第１電子デバイス１が１又は複数の第２電子デバイス２に情報を送信するときの通信方式を第１の通信方式よりも無線の周波数が低い第２の通信方式に切り替えることを要求する切替要求情報を、通信部３２を介して第１電子デバイス１に送信する。
【００６３】
第１電子デバイス１が未装着のときに、第１電子デバイス１及び第２電子デバイス２間の通信方式を第２の通信方式よりも電力が大きい第１の通信方式に切り替えることによって、第１電子デバイス１及び第２電子デバイス２間の距離が離れていても通信が途切れ難い。また、第１電子デバイス１を装着しているときに、第１電子デバイス１及び第２電子デバイス２間の通信方式を第１の通信方式よりも周波数が低い第２の通信方式に切り替えることによって、人体による通信品質の劣化が小さくかつ通信が途切れ難い。したがって、第１電子デバイス１の装着時及び未装着時何れの場合においても、第１電子デバイス１及び第２電子デバイス２間の通信が途切れ難い。
【００６４】
〔ソフトウェアによる実現例〕
第１電子デバイス１及び第２電子デバイス２の制御ブロック（特に制御部１１および制御部２１）は、集積回路（ＩＣチップ）等に形成された論理回路（ハードウェア）によって実現してもよいし、ソフトウェアによって実現してもよい。
【００６５】
後者の場合、第１電子デバイス１及び第２電子デバイス２は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６６】
〔まとめ〕
本発明の態様１に係る電子デバイス（第１電子デバイス１）は、ユーザが着脱可能な電子デバイスであって、当該電子デバイス（第１電子デバイス１）をユーザが装着しているか否かを検出する装着検出部（１３）と、外部の通信機器（３）から受信した情報を、当該電子デバイス（第１電子デバイス１）と組をなす１又は複数の他の電子デバイス（第２電子デバイス２）に送信する通信部（１２）と、前記装着検出部（１３）による検出結果が、前記ユーザが当該電子デバイス（第１電子デバイス１）を装着していないことを示している場合、前記通信部（１２）が前記１又は複数の他の電子デバイス（第２電子デバイス２）の少なくとも何れかに前記情報を送信するときの通信方式を第１の通信方式に切り替え、前記装着検出部（１３）による検出結果が、前記ユーザが当該電子デバイス（第１電子デバイス１）を装着していることを示している場合、前記通信部（１２）が前記１又は複数の他の電子デバイス（第２電子デバイス２）の少なくとも何れかに前記情報を送信するときの通信方式を前記第１の通信方式よりも無線の周波数が低い第２の通信方式に切り替える切替部（１４）と、を備えている。
【００６７】
上記の構成によれば、第１電子デバイスが未装着のときに、第１電子デバイス及び第２電子デバイス間の通信方式を第２の通信方式よりも電力が大きい第１の通信方式に切り替えることによって、第１電子デバイス及び第２電子デバイス間の距離が離れていても通信が途切れ難い。また、第１電子デバイスを装着しているときに、第１電子デバイス及び第２電子デバイス間の通信方式を第１の通信方式よりも周波数が低い第２の通信方式に切り替えることによって、人体による通信品質の劣化が小さくかつ通信が途切れ難い。したがって、第１電子デバイスの装着時及び未装着時何れの場合においても、第１電子デバイス及び第２電子デバイス間の通信が途切れ難い。
【００６８】
本発明の態様２に係る電子デバイス（第１電子デバイス１）は、上記態様１において、前記切替部（１４）は、前記通信部（１２）が前記１又は複数の他の電子デバイス（第２電子デバイス２）の少なくとも何れかに前記第２の通信方式によって前記情報を送信している場合において、前記装着検出部（１３）による検出結果が、前記ユーザが当該電子デバイス（第１電子デバイス１）を装着していない状態に変化したことを示している場合、前記通信部（１２）が前記１又は複数の他の電子デバイス（第２電子デバイス２）の少なくとも何れかに前記情報を送信するときの通信方式を、継続して第２の通信方式とする構成であってもよい。
【００６９】
上記の構成によれば、第１電子デバイスが未装着時に通信方式を選択することができ、状況に適した通信方式を選択することができる。
【００７０】
本発明の態様３に係る電子デバイス（第１電子デバイス１）は、上記態様１において、前記切替部（１４）は、前記通信部（１２）が前記１又は複数の他の電子デバイス（第２電子デバイス２）の少なくとも何れかに前記情報を送信するときの通信方式による通信品質が劣化した場合、前記通信部（１２）が前記１又は複数の他の電子デバイス（第２電子デバイス２）の少なくとも何れかに前記情報を送信するときの通信方式を他方の通信方式に切り替える構成であってもよい。
【００７１】
上記の構成によれば、第１電子デバイス及び第２電子デバイス間の通信方式による通信品質が劣化したときに、他方の通信方式に切り替えることによって、通信品質の改善を試みることができる。
【００７２】
本発明の態様４に係る電子デバイス（第１電子デバイス１）において、上記態様１において、前記切替部（１４）は、前記通信部（１２）が前記１又は複数の他の電子デバイス（第２電子デバイス２）の少なくとも何れかに前記情報を送信するときの通信方式による通信品質が劣化した場合、前記第１の通信方式と前記第２の通信方式との通信品質を比較し、前記通信部（１２）が前記１又は複数の他の電子デバイス（第２電子デバイス２）の少なくとも何れかに前記情報を送信するときの通信方式を、より通信品質の高い方の通信方式に切り替える構成であってもよい。
【００７３】
上記の構成によれば、第１電子デバイス及び第２電子デバイス間の通信方式による通信品質が劣化したときに、通信品質が高い通信方式に切り替えることによって、通信品質の劣化を最小限に抑えることができる。
【００７４】
本発明の態様５に係る電子デバイス（第１電子デバイス１）は、上記態様１において、前記１又は複数の他の電子デバイス（第２電子デバイス２）の少なくとも何れかは、前記他の電子デバイス（第２電子デバイス２）をユーザが装着しているか否かを検出する装着検出部（２３）を備え、前記切替部（１４）は、当該電子デバイス（第１電子デバイス１）及び前記他の電子デバイス（第２電子デバイス２）の装着検出部（１３、２３）の少なくとも何れかによる検出結果が、前記ユーザが当該電子デバイス（第１電子デバイス１）又は前記他の電子デバイス（第２電子デバイス２）を装着していることを示している場合、前記通信部（１２）が前記１又は複数の他の電子デバイス（第２電子デバイス２）の少なくとも何れかに前記情報を送信するときの通信方式を前記第２の通信方式に切り替える構成であってもよい。
【００７５】
上記の構成によれば、第１電子デバイス及び第２電子デバイスの何れかの電子デバイスを装着したときから、第１電子デバイス及び第２電子デバイス間を第２の通信方式で通信することができるので、より早く人体による通信品質の劣化の影響を抑制することができる。
【００７６】
本発明の態様６に係る電子デバイス（第２電子デバイス２）は、ユーザが着脱可能な電子デバイスであって、当該電子デバイス（第２電子デバイス２）をユーザが装着しているか否かを検出する装着検出部（２３）と、前記装着検出部（２３）による検出結果が、前記ユーザが当該電子デバイス（第２電子デバイス２）を装着していないことを示している場合、当該電子デバイス（第２電子デバイス２）に情報を送信するときの通信方式を第１の通信方式に切り替えることを要求する切替要求情報を、当該電子デバイス（第２電子デバイス２）と組をなす他の電子デバイス（第１電子デバイス１）に送信し、前記装着検出部（２３）による検出結果が、前記ユーザが当該電子デバイス（第２電子デバイス２）を装着していることを示している場合、当該電子デバイス（第２電子デバイス２）に情報を送信するときの通信方式を第２の通信方式に切り替えることを要求する切替要求情報を、前記他の電子デバイス（第１電子デバイス１）に送信する通信部（２２）と、を備えている。
【００７７】
上記の構成によれば、第２電子デバイスが未装着のときに、第１電子デバイス及び第２電子デバイス間の通信方式を第２の通信方式よりも電力が大きい第１の通信方式に切り替えることによって、第１電子デバイス及び第２電子デバイス間の距離が離れていても通信が途切れ難い。また、第２電子デバイスを装着しているときに、第１電子デバイス及び第２電子デバイス間の通信方式を第１の通信方式よりも周波数が低い第２の通信方式に切り替えることによって、人体による通信品質の劣化が小さくかつ通信が途切れ難い。したがって、第２電子デバイスの装着時及び未装着時何れの場合においても、第１電子デバイス及び第２電子デバイス間の通信が途切れ難い。
【００７８】
本発明の態様７に係る通信機器（３）は、１又は複数の第２電子デバイス（２）と組をなし、前記１又は複数の第２電子デバイス（２）に情報を送信する第１電子デバイス（１）であって、ユーザが着脱可能である前記１又は複数の第１電子デバイス（１）に対して情報を送信する通信機器であって、通信部（３２）と、前記１又は複数の第１電子デバイス（１）の少なくとも何れかから、前記第１電子デバイス（１）を前記ユーザが装着しているか否かを示す装着情報を、前記通信部（３２）を介して取得する通信制御部（３１）と、を備え、前記通信制御部（３１）は、取得した前記装着情報が、前記ユーザが前記第１電子デバイス（１）を装着していないことを示している場合、前記第１電子デバイス（１）が前記１又は複数の第２電子デバイス（２）に前記情報を送信するときの通信方式を第１の通信方式に切り替えることを要求する切替要求情報を、前記通信部（３２）を介して前記第１電子デバイス（１）に送信し、取得した前記装着情報が、前記ユーザが前記第１電子デバイス（１）を装着していることを示している場合、前記第１電子デバイス（１）が前記１又は複数の第２電子デバイス（２）に前記情報を送信するときの通信方式を前記第１の通信方式よりも無線の周波数が低い第２の通信方式に切り替えることを要求する切替要求情報を、前記通信部（３２）を介して前記第１電子デバイス（１）に送信する。
【００７９】
上記の構成によれば、上記通信機器は、上記態様１に係る電子デバイスと同様の作用効果を奏する。
【００８０】
本発明の態様８に係る電子デバイスの制御方法は、ユーザが着脱可能な電子デバイスの制御方法であって、当該電子デバイスをユーザが装着しているか否かを検出する検出ステップと、外部の通信機器から受信した情報を、当該電子デバイスと組をなす１又は複数の他の電子デバイスに送信する送信ステップと、前記検出ステップで得られた検出結果が、前記ユーザが当該電子デバイスを装着していないことを示している場合、前記１又は複数の他の電子デバイスの少なくとも何れかに前記情報を送信するときの通信方式を第１の通信方式に切り替え、前記検出ステップで得られた検出結果が、前記ユーザが当該電子デバイスを装着していることを示している場合、前記１又は複数の他の電子デバイスの少なくとも何れかに前記情報を送信するときの通信方式を前記第１の通信方式よりも無線の周波数が低い第２の通信方式に切り替える切替ステップと、を含む。
【００８１】
上記の構成によれば、上記電子デバイスの制御方法は、上記態様１に係る電子デバイスと同様の作用効果を奏する。
【００８２】
本発明の各態様に係る電子デバイスは、コンピュータによって実現してもよく、この場合には、コンピュータを上記電子デバイスが備える各部（ソフトウェア要素）として動作させることにより上記電子デバイスをコンピュータにて実現させる電子デバイスの制御プログラム、およびそれを記録したコンピュータ読み取り可能な記録媒体も、本発明の範疇に入る。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８４】
１、４  第１電子デバイス
２、５  第２電子デバイス
３  通信機器
１１、２１、４１、５１  制御部
１２、２２、３２、４２、５２  通信部
１３、２３、４３  装着検出部
１４、４４  切替部
３１  通信制御部
【図１】
2020141214.tif 000003
【図２】
2020141214.tif 000004
【図３】
2020141214.tif 000005
【図４】
2020141214.tif 000006
【図５】
2020141214.tif 000007
【図６】
2020141214.tif 000008
【図７】
2020141214.tif 000009
【図８】
2020141214.tif 000010
【図９】
2020141214.tif 000011
【図１０】
2020141214.tif 000012
【図１１】
2020141214.tif 000013
【図１２】
2020141214.tif 000014